【事件の表示】
　特許第３１０２７８６号「薬液注入工法およびこれに用いる注入装置」の請求項１〜６に係る特許に対する特許異議の申立てについて、次のとおり決定する。
【結　論】
　訂正を認める。
　特許第３１０２７８６号の請求項１〜４に係る特許を維持する。
【理　由】
【１】手続きの経緯
　特許３１０２７８６号の請求項１〜６に係る発明の特許は、平成１１年７月９日に特許出願（優先日：平成１０年７月３０日）され、平成１２年８月２５日に特許の設定登録がなされた。
　これに対して、「青木暢子」より特許異議の申立てがなされ、取消理由通知がなされ、その指定期間内である平成１４年４月２２日に訂正請求がなされた。
　
【２】訂正の内容
（１）特許請求の範囲の訂正
（１−１）請求項１を下記のとおり訂正。
　「軸方向に間隔を置いて複数のパッカーが外面部に装着され、隣接パッカーの間にそれぞれ注入口が形成された注入外管と、この外管に挿入可能であり、吐出口を有しその前後が注入外管内面に液密に密着し、かつ内部に薬液を圧送する注入内管とを用い、
　対象地盤を所定深度まで掘削して挿入孔を形成するとともに、前記注入外管を前記挿入孔内に相対的に挿入し、
　前記注入内管を軸方向に位置移動させて、次記の（１）および（２）の工程を実行することを特徴とする薬液注入工法。
　（１）隣接するパッカーのそれぞれについて、パッカー位置に前記吐出口を位置させてそのパッカーと吐出口とを連通させた状態で、前記注入内管の流路を通して膨出用流体をパッカー内部に送り込んで膨出させて前記挿入孔壁面に密着させる工程。
　（２）前記注入外管内に注入内管を挿入し、前記隣接するパッカーをそれぞれ作用させた状態、かつ前記隣接するパッカーと前記挿入孔壁面と前記注入外管とで囲まれる領域を充填材が存在しない中空空間とする状態において、前記注入内管に薬液を圧送して前記吐出口から吐出させ、前記注入口を通して前記中空空間に面する前記挿入孔壁面の全体を浸透対象面として薬液を浸透注入し球状の改良体を造成する工程。」
（１−２）請求項５，６を削除。
（２）発明の詳細な説明の訂正
（２−１）特許明細書の段落【０００１】を下記のとおり訂正。
　「【発明の属する技術分野】
　本発明は、地盤改良のための薬液注入工法に関する。」
（２−２）同【０００９】を下記のとおり訂正。
　「【課題を解決するための手段】
　上記課題を解決した本発明の請求項１記載の発明は、軸方向に間隔を置いて複数のパッカーが外面部に装着され、隣接パッカーの間にそれぞれ注入口が形成された注入外管と、この外管に挿入可能であり、吐出口を有しその前後が注入外管内面に液密に密着し、かつ内部に薬液を圧送する注入内管とを用い、
　対象地盤を所定深度まで掘削して挿入孔を形成するとともに、前記注入外管を前記挿入孔内に相対的に挿入し、
　前記注入内管を軸方向に位置移動させて、次記の（１）および（２）の工程を実行することを特徴とする薬液注入工法である。
　（１）隣接するパッカーのそれぞれについて、パッカー位置に前記吐出口を位置させてそのパッカーと吐出口とを連通させた状態で、前記注入内管の流路を通して膨出用流体をパッカー内部に送り込んで膨出させて前記挿入孔壁面に密着させる工程。
　（２）前記注入外管内に注入内管を挿入し、前記隣接するパッカーをそれぞれ作用させた状態、かつ前記隣接するパッカーと前記挿入孔壁面と前記注入外管とで囲まれる領域を充填材が存在しない中空空間とする状態において、前記注入内管に薬液を圧送して前記吐出口から吐出させ、前記注入口を通して前記中空空間に面する前記挿入孔壁面の全体を浸透対象面として薬液を浸透注入し球状の改良体を造成する工程。」
（２−３）同【００１３】【００１４】を削除。
　
【３】訂正の適否についての判断
（１）特許請求の範囲の訂正
　上記訂正は、訂正前の請求項に記載された「（２）の工程」を「前記注入外管内に注入内管を挿入し、前記隣接するパッカーをそれぞれ作用させた状態、かつ前記隣接するパッカーと前記挿入孔壁面と前記注入外管とで囲まれる領域を充填材が存在しない中空空間とする状態において、前記注入内管に薬液を圧送して前記吐出口から吐出させ、前記注入口を通して前記中空空間に面する前記挿入孔壁面の全体を浸透対象面として薬液を浸透注入し球状の改良体を造成する工程。」に限定するなど、いくつかの構成を明細書に記載されていた実施例に即して下位概念に限定したものであり、特許請求の範囲の減縮に該当し、新規事項の追加に該当せず、実質的に特許請求の範囲を拡張又は変更するものでもない。
（２）発明の詳細な説明の訂正
　上記訂正は、前記特許請求の範囲の減縮に伴って、減縮された特許請求の範囲の記載と発明の詳細な説明の記載とを整合させるための不明りょうな記載の釈明を目的とするものと認められる。
（３）むすび
　以上のとおりであるから、上記訂正は特許法第１２０条の４第２，３項で準用する第１２６条第２，３項の規定に適合するので、当該訂正を認める。
　
【４】特許異議申立てについての判断
（１）本件各発明
　本件請求項１〜４に係る発明（以下、「本件各発明」という。）は、上記訂正明細書の請求項１〜４に記載された事項により特定される次のとおりのものである。
「【請求項１】軸方向に間隔を置いて複数のパッカーが外面部に装着され、隣接パッカーの間にそれぞれ注入口が形成された注入外管と、この外管に挿入可能であり、吐出口を有しその前後が注入外管内面に液密に密着し、かつ内部に薬液を圧送する注入内管とを用い、
　対象地盤を所定深度まで掘削して挿入孔を形成するとともに、前記注入外管を前記挿入孔内に相対的に挿入し、
　前記注入内管を軸方向に位置移動させて、次記の（１）および（２）の工程を実行することを特徴とする薬液注入工法。
　（１）隣接するパッカーのそれぞれについて、パッカー位置に前記吐出口を位置させてそのパッカーと吐出口とを連通させた状態で、前記注入内管の流路を通して膨出用流体をパッカー内部に送り込んで膨出させて前記挿入孔壁面に密着させる工程。
　（２）前記注入外管内に注入内管を挿入し、前記隣接するパッカーをそれぞれ作用させた状態、かつ前記隣接するパッカーと前記挿入孔壁面と前記注入外管とで囲まれる領域を充填材が存在しない中空空間とする状態において、前記注入内管に薬液を圧送して前記吐出口から吐出させ、前記注入口を通して前記中空空間に面する前記挿入孔壁面の全体を浸透対象面として薬液を浸透注入し球状の改良体を造成する工程。
　【請求項２】前記注入外管に透孔が形成され、この透孔を軸方向に跨いで前記パッカーが設けられ、そのパッカーの軸方向前後端部が注入外管に液密に封止され、前記透孔を通して前記パッカー内に膨出用流体が送り込まれる請求項１記載の薬液注入工法。
　【請求項３】前記注入外管に透孔が形成され、この透孔を覆って変形可能なスリーブが設けられ、このスリーブを軸方向に跨いで前記パッカーが設けられ、そのパッカーの軸方向前後端部が注入外管に液密に封止されたものを用い、
　前記膨出用流体を前記透孔を通して送り込み、この送り込み時においてスリーブを変形させて膨出用流体をパッカー内に流入させ、流入完了状態において、スリーブを復元させて前記透孔を閉塞させる請求項１または２記載の薬液注入工法。
　【請求項４】注入速度を１０リットル／分を超え４０リットル／分以下とする請求項１〜３のいずれか１項記載の薬液注入工法。」
（２）異議申立ての理由の概要
　申立人は、証拠として甲第１〜４号証を提出し、訂正前の請求項１〜６に係る発明は、甲第１〜４号証に記載された発明に基いて当業者が容易に発明をすることができたものであり、特許法第２９条第２項の規定により、特許を受けることができないのものであるから、請求項１〜６に係る発明の特許を取り消すべき旨主張している。
（３）甲号各証
（３−１）甲号各証には、下記の事項が図面あるいは写真とともに記載されている。
＜甲第１号証（特開昭５１−１３０００８号公報）＞
　「（１）異なる層を有する地盤に注入孔を穿設し、周壁に形成された吐出孔が可撓性スリーブで包囲された注入部が長さ方向に所定間隔を置いて複数設けられ、かつその注入部が可撓性袋体で包囲され、その袋体の少なくとも１つは地層の境界付近に位置し、かつ長さ方向に間隔を置いて複数設置され、当該袋体の少なくとも下方に位置する側の注入部に１つ以上の袋体で包囲されない注入部が確保されてなる注入管を前記注入孔に挿入し、次いで注入管の袋体で包囲された注入部から注入材を吐出させ、袋体内に注入材を充満し膨張させて注入孔の孔壁に袋体を固定して、その後注入部から注入材を周辺地盤に注入することを特徴とする地盤改良工法。
　（２）周壁に形成された吐出孔が可撓性スリーブで包囲された注入部が長さ方向に所定間隔を置いて複数設けられ、かつ前記注入部が可撓性袋体で包囲され、その袋体は長さ方向に間隔を置いて少なくとも１つ以上の袋体で包囲されない注入部を残して複数配されてなることを特徴とする地盤改良装置。」（特許請求の範囲）
　「第１図および第２図は注入管を示したもので、この注入管は外管１および内管２からなり、外管１周壁には吐出孔３が形成され、その吐出孔３はゴム等からなる可撓性スリーブ４で包囲され、注入部５が構成されている。この注入部５は長さ方向に所定間隔を置いて複数設けられている。６は注入部５を１つ以上包囲するゴムまたはナイロン等からなる可撓性袋体で、その両端は外管１に止め付け環７，７で固定されており、この袋体６は長さ方向に間隔をおいて少なくとも１つ以上の袋体６で包囲されない注入部５を残して複数配されている。
　一方、内管２先端にはストレーナー８が多数形成され、その上下部にはパッカー９，９が止着されている。そしてこの内管２は外管１内を上下可能となつている。
　このように構成された注入管の内管２を所望の注入部５位置に設置し、内管２を介してグラウトを圧送すれば、グラウトはストレーナー８を通り、吐出孔３を介して可撓性スリーブ４を拡張して外部に流出する。
　施工に際しては、先ずボ一リング機等によつて所定地盤に注入孔１０を穿設し、この注入管を挿入する。次いで第３図に示すように所望施工個所、たとえば岩盤における破砕帯層Ａを挾む袋体６，６位置に内管２のストレーナー８を設置し注入材１１を吐出させ、その袋体６，６内を注入材１１で充満させ、袋体６，６を注入孔１０の孔壁に固定する。その後袋体６，６間の注入部５，５から、内管２を引上げ、あるいは降下しつつ、注入材１１を破砕帯に注入する。この場合、注入材１１は袋体６，６で仕切られているため、注入管に沿つて他層に逸走することなく、破砂帯層Ａのみに注入される。その後第４図に示すように、注入管の全長に渡つて、仕上げ用注入材１１′を内管２を引上げつつ周辺地盤に注入する。この仕上げ用注入材は前過程の注入材と同一のものであつてもよい。」（２頁右上欄１２行〜右下欄１０行）
　「以上の通り、この発明によれば、所定改良地盤上下に袋体を設けられ、その袋体相互間以外への注入材の逸走がないので注入材を確実にその地盤に注入できる。」（２頁右下欄１９行〜３頁左上欄２行）
＜甲第２号証（「最新・薬液注入工法の設計と施工」，初版，株式会社山海堂，昭和６０年９月２０日，ｐ．178−185）＞
　「（４）二重管を用いたダブルパッカー
　この方法では，地上へ噴射を防止するために，ボーリング孔壁と挿入したパイプとの間をセメントのような材料でグラウトして，一様な硬い壁を形成することによって，どこにでもパッカーがかけられるのが特長である．
　このため，上部から下部に向かって順次注入してゆくことも可能であるし，また，反復して注入することもできる．具体的には，内管にパッカーを上下２個所設置しておき，その間から注入材を管外へ浸出させるものである．」（１７８頁９行〜１７９頁１行）
　１８４頁〜１８５頁の表４・１「代表的な注入工法の説明と分類」には、ダブルパッカー注入方式では、注入速度が５〜１５（l／min）であること（１８５頁）が記載されている。
＜甲第４号証（「第３２回地盤工学研究発表会　平成９年度発表講演集」，社団法人地盤工学会，平成９年７月，ｐ．2347−2348）＞
　「今回の実験で使用したグラウト材は，室内実験で浸透性や耐久性が確認された超微粒子シリカおよび非アルカリシリカの二つである．これらのグラウト材は，いずれも溶液型の一液タイプのグラウト材であり，・・・今回の実験の特徴として以下の２点が上げられる。
　１）一点から広範囲な注入施工（改良体の直径４ｍ）
　２）急速な注入速度による高速施工（２０l／min）
　図−１より分かるように，今回の実験では，１点からの注入によって球状の３２ｍ３の改良体を作成することを目標としている．・・・注入管は，直径１０cmの注入管を用いて，ダブルパッカー方式で注入を行った．・・・注入速度については，従来の直径１ｍ程度の注入に比べ注入量が多量であること，改良体のボリュームが大きいため浸透境界面での流速は小さいことなどから，従来の注入工法の約２倍の２０l/minとした．」（２３４７頁１１行〜２３４８頁５行）
　「４．結論
　今回の現地実験によって，以下の結論を得た．
　（１）溶液型のグラウト材を使用することで，砂地盤では直径４ｍ以上の柱状の改良体を作成できる．
　（２）浸透距離が２ｍ程度の場合，注入速度は２０l／minで施工可能である．」（２３４８頁２６〜２９行）
　なお、甲第３号証（特開平１１−１３１４６７号公報）は、本件特許の優先日後に公開されたものであるから、特許法第２９条第２項について検討する際の証拠としては採用できないので、その記載内容を省略する。
（３−２）対比・判断
　訂正後の本件各発明と甲第１，２，４号証記載のものとを対比すると、該甲号各証記載のものには、本件各発明の構成である「隣接するパッカーと挿入孔壁面と注入外管とで囲まれる領域を充填材が存在しない中空空間とする状態において、注入内管に薬液を圧送して吐出口から吐出させ、注入口を通して前記中空空間に面する前記挿入孔壁面の全体を浸透対象面として薬液を浸透注入し球状の改良体を造成する工程。」について何等記載されておらず、示唆もない。
　そして、本件各発明は、上記構成と他の構成とが相俟って、明細書記載の作用効果を奏するものである。
　したがって、本件各発明は、甲第１，２，４号証に記載された発明に基いて当業者が容易に発明をすることができたものとはいえない。
（４）むすび
　以上のとおりであるから、特許異議申立ての理由及び証拠によっては、本件請求項１〜４に係る発明についての特許を取り消すことはできない。
　また、他に本件請求項１〜４に係る発明についての特許を取消すべき理由を発見しない。
　よって、結論のとおり決定する。
【異議決定日】
平成１４年６月６日（２００２．６．６）
【訂正の要旨】
（１）特許請求の範囲の訂正
（１−１）請求項１を下記のとおり訂正。
　「軸方向に間隔を置いて複数のパッカーが外面部に装着され、隣接パッカーの間にそれぞれ注入口が形成された注入外管と、この外管に挿入可能であり、吐出口を有しその前後が注入外管内面に液密に密着し、かつ内部に薬液を圧送する注入内管とを用い、
　対象地盤を所定深度まで掘削して挿入孔を形成するとともに、前記注入外管を前記挿入孔内に相対的に挿入し、
　前記注入内管を軸方向に位置移動させて、次記の（１）および（２）の工程を実行することを特徴とする薬液注入工法。
　（１）隣接するパッカーのそれぞれについて、パッカー位置に前記吐出口を位置させてそのパッカーと吐出口とを連通させた状態で、前記注入内管の流路を通して膨出用流体をパッカー内部に送り込んで膨出させて前記挿入孔壁面に密着させる工程。
　（２）前記注入外管内に注入内管を挿入し、前記隣接するパッカーをそれぞれ作用させた状態、かつ前記隣接するパッカーと前記挿入孔壁面と前記注入外管とで囲まれる領域を充填材が存在しない中空空間とする状態において、前記注入内管に薬液を圧送して前記吐出口から吐出させ、前記注入口を通して前記中空空間に面する前記挿入孔壁面の全体を浸透対象面として薬液を浸透注入し球状の改良体を造成する工程。」
（１−２）請求項５，６を削除。
（２）発明の詳細な説明の訂正
（２−１）特許明細書の段落【０００１】を下記のとおり訂正。
　「【発明の属する技術分野】
　本発明は、地盤改良のための薬液注入工法に関する。」
（２−２）同【０００９】を下記のとおり訂正。
　「【課題を解決するための手段】
　上記課題を解決した本発明の請求項１記載の発明は、軸方向に間隔を置いて複数のパッカーが外面部に装着され、隣接パッカーの間にそれぞれ注入口が形成された注入外管と、この外管に挿入可能であり、吐出口を有しその前後が注入外管内面に液密に密着し、かつ内部に薬液を圧送する注入内管とを用い、
　対象地盤を所定深度まで掘削して挿入孔を形成するとともに、前記注入外管を前記挿入孔内に相対的に挿入し、
　前記注入内管を軸方向に位置移動させて、次記の（１）および（２）の工程を実行することを特徴とする薬液注入工法である。
　（１）隣接するパッカーのそれぞれについて、パッカー位置に前記吐出口を位置させてそのパッカーと吐出口とを連通させた状態で、前記注入内管の流路を通して膨出用流体をパッカー内部に送り込んで膨出させて前記挿入孔壁面に密着させる工程。
　（２）前記注入外管内に注入内管を挿入し、前記隣接するパッカーをそれぞれ作用させた状態、かつ前記隣接するパッカーと前記挿入孔壁面と前記注入外管とで囲まれる領域を充填材が存在しない中空空間とする状態において、前記注入内管に薬液を圧送して前記吐出口から吐出させ、前記注入口を通して前記中空空間に面する前記挿入孔壁面の全体を浸透対象面として薬液を浸透注入し球状の改良体を造成する工程。」
（２−３）同【００１３】【００１４】を削除。
（５４）【発明の名称】
薬液注入工法
（５７）【特許請求の範囲】
　【請求項１】軸方向に間隔を置いて複数のパッカーが外面部に装着され、隣接パッカーの間にそれぞれ注入口が形成された注入外管と、この外管に挿入可能であり、吐出口を有しその前後が注入外管内面に液密に密着し、かつ内部に薬液を圧送する注入内管とを用い、
　対象地盤を所定深度まで掘削して挿入孔を形成するとともに、前記注入外管を前記挿入孔内に相対的に挿入し、
　前記注入内管を軸方向に位置移動させて、次記の（１）および（２）の工程を実行することを特徴とする薬液注入工法。
　（１）隣接するパッカーのそれぞれについて、パッカー位置に前記吐出口を位置させてそのパッカーと吐出口とを連通させた状態で、前記注入内管の流路を通して膨出用流体をパッカー内部に送り込んで膨出させて前記挿入孔壁面に密着させる工程。
　（２）前記注入外管内に注入内管を挿入し、
前記隣接するパッカーをそれぞれ作用させた状態、かつ前記隣接するパッカーと前記挿入孔壁面と前記注入外管とで囲まれる領域を充填材が存在しない中空空間とする状態において、
前記注入口を通して前記中空空間に面する前記挿入孔壁面の全体を浸透対象面として薬液を浸透注入し球状の改良体を造成
　【請求項２】前記注入外管に透孔が形成され、この透孔を軸方向に跨いで前記パッカーが設けられ、そのパッカーの軸方向前後端部が注入外管に液密に封止され、前記透孔を通して前記パッカー内に膨出用流体が送り込まれる請求項１記載の薬液注入工法。
　【請求項３】前記注入外管に透孔が形成され、この透孔を覆って変形可能なスリーブが設けられ、このスリーブを軸方向に跨いで前記パッカーが設けられ、そのパッカーの軸方向前後端部が注入外管に液密に封止されたものを用い、
　前記膨出用流体を前記透孔を通して送り込み、この送り込み時においてスリーブを変形させて膨出用流体をパッカー内に流入させ、流入完了状態において、スリーブを復元させて前記透孔を閉塞させる請求項１または２記載の薬液注入工法。
　【請求項４】注入速度を１０リットル／分を超え４０リットル／分以下とする請求項１〜３のいずれか１項記載の薬液注入工法。
【発明の詳細な説明】
　【０００１】
　【発明の属する技術分野】
　本発明は、地盤改良のための薬液注入工法およびこれに用いる注入装置に関する。
　【０００２】
　【従来の技術】
　この種の工法および装置は、主に昭和４０年代の後半から昭和５０年代において多くの改良が加えられてきた。現在も使用されている代表例はロッド注入工法、ストレーナ注入工法、および二重管ダブルパッカー注入工法である。
　【０００３】
　このうち二重管ダブルパッカー注入工法は、確実な浸透注入を行うことができる点で優れている。
　【０００４】
　二重管ダブルパッカー注入においては、予め対象地盤を所定深度まで掘削して挿入孔を形成し、その挿入孔内に二重管ダブルパッカー注入用注入管（外管と内管を備える）を挿入する。
　【０００５】
　しかし、挿入孔と注入管との間には、クリアランスが生じ、薬液を注入したとき、その薬液が地上に流出してしまうので、予め、そのクリアランスにセメントベントナイト充填材を充填しておき、薬液の圧送圧によりそのセメントベントナイト充填材を割裂させながら、地盤内に薬液を注入する。
　【０００６】
　【発明が解決しようとする課題】
　したがって、セメントベントナイト充填材を割裂した薬液は、挿入孔壁面に対応した地盤と接したきわめて狭い面積の部位のみを通して浸透注入する。
　【０００７】
　このために注入速度を増大させると、地盤が薬液も受け入れる浸透許容速度を上回り、地盤内において割裂が生じ、挿入孔の軸心を中心とした同心円筒状の改良体を造成できず、地盤の緩み部分に多く注入される。その結果、改良体は一般的に楕円状となる。ちなみに、浸透許容速度は砂質土地盤では一般的に約１０リットル／分である。
　【０００８】
　本発明の主たる課題は、浸透注入による横断面同心円状の改良体を造成すること、注入の各ステージにおいて、直径で約５ｍ程度の球状の大形の改良体を造成することにある。この改良体を軸方向に連結または連続させるようにすると、直径約５ｍ程度の円筒状の改良体を造成できる。
　【０００９】
　【課題を解決するための手段】
　上記課題を解決した本発明の請求項１記載の発明は、軸方向に間隔を置いて複数のパッカーが外面部に装着され、隣接パッカーの間にそれぞれ注入口が形成された注入外管と、この外管に挿入可能であり、吐出口を有しその前後が注入外管内面に液密に密着し、かつ内部に薬液を圧送する注入内管とを用い、
　対象地盤を所定深度まで掘削して挿入孔を形成するとともに、前記注入外管を前記挿入孔内に相対的に挿入し、
　前記注入内管を軸方向に位置移動させて、次記の（１）および（２）の工程を実行することを特徴とする薬液注入工法である。
　（１）隣接するパッカーのそれぞれについて、パッカー位置に前記吐出口を位置させてそのパッカーと吐出口とを連通させた状態で、前記注入内管の流路を通して膨出用流体をパッカー内部に送り込んで膨出させて前記挿入孔壁面に密着させる工程。
　（２）前記注入外管内に注入内管を挿入し、
前記隣接するパッカーをそれぞれ作用させた状態、かつ前記隣接するパッカーと前記挿入孔壁面と前記注入外管とで囲まれる領域を充填材が存在しない中空空間とする状態において、
前記注入口を通して前記中空空間に面する前記挿入孔壁面の全体を浸透対象面として薬液を浸透注入し球状の改良体を造成
　【００１０】
　請求項２記載の発明は、前記注入外管に透孔が形成され、この透孔を軸方向に跨いで前記パッカーが設けられ、そのパッカーの軸方向前後端部が注入外管に液密に封止され、前記透孔を通して前記パッカー内に膨出用流体が送り込まれる請求項１記載の薬液注入工法である。
　【００１１】
　請求項３記載の発明は、前記注入外管に透孔が形成され、この透孔を覆って変形可能なスリーブが設けられ、このスリーブを軸方向に跨いで前記パッカーが設けられ、そのパッカーの軸方向前後端部が注入外管に液密に封止されたものを用い、
　前記膨出用流体を前記透孔を通して送り込み、この送り込み時においてスリーブを変形させて膨出用流体をパッカー内に流入させ、流入完了状態において、スリーブを復元させて前記透孔を閉塞させる請求項１または２記載の薬液注入工法である。
　【００１２】
　請求項４記載の発明は、注入速度を１０リットル／分を超え４０リットル／分以下とする請求項１〜３のいずれか１項記載の薬液注入工法である。
　【００１３】
　【００１４】
　【００１５】
　【発明の実施の形態】
　以下本発明を図面に示す実施の形態によってさらに詳説する。
　【００１６】
　＜注入装置例＞
　まず、注入装置について説明すると、図１は外管１０を示し、第１管１の壁面に透孔４が形成され、この透孔４を覆って変形可能なゴムなどの可撓性スリーブ５が設けられ、このスリーブ５を跨いで、軸方向前後がそれぞれ、第１管１と螺合した第２管２および第３管３に液密に封止されたゴムなどの可撓性のパッカー６が装着されている。
　【００１７】
　図３に示されているように、外管１０は単位管として用意され、単位管の第２管２と他の単位管の第３管３とが螺合連設されて長尺の注入外管とされる。
　【００１８】
　連設注入外管とする場合、パッカー６は軸方向に間隔を置いて複数、たとえば３個以上外面部に装着される。さらに、隣接パッカー６，６の間にそれぞれ注入口７が、図１に示すように、第３管３に形成されている。注入口７は一つのほか、図１に示すように複数、たとえば４段で各段において９０度間隔で合計１６個形成することができる。これらの注入口７，７…は、周辺地盤からの砂粒子の侵入防止手段を採用することが望ましく、この砂粒子の侵入防止手段としては、各段を図１に示すように、ゴムなどの可撓性スリーブ８で覆う、あるいは薬液の送給圧により破断するたとえば塩化ビニル製の被膜を各段もしくは全体にわたって被覆するなどの態様を採用できる。
　【００１９】
　一方、図１に示すように、注入内管２０が用意される。この注入内管２０は外管１０に挿入可能であり、外管１０内面に吐出口２２の前後が液密に密着し、かつ内部に薬液を圧送するものであれば限定されないが、その構造例として、単純に、薬液の送給路を有する内管主体２１の吐出口２２の前後に、ゴムなどのパッカー部材２３，２４を設けたもののほか、特公昭６３−４４８９３号公報の第４図に図示されたものをそままま利用することができる。
　【００２０】
　＜第１の施工例＞
　かかる注入装置を用いて施工を行うに際しては、まず、図２に示すように、対象地盤３０を所定深度まで掘削して挿入孔３１を形成する。この場合、挿入孔３１の崩落防止のためにケーシング５０を用いて削孔することが望ましい。
　【００２１】
　そして、注入外管１０を挿入孔３１内に挿入する。
　【００２２】
　その後、ケーシング５０を用いて挿入孔３１を形成した場合には、これを撤去する。これにより、注入外管１０を挿入孔３１内に相対的に挿入されることとなる。注入外管１０は直接またはケーシング５０とともに建込むことができるので、この意味で注入外管１０を挿入孔３１内に「相対的に挿入する」との文言を本発明において使用するものである。
　【００２３】
　しかる後に、パッカー６位置に吐出口２２を位置させてそのパッカー６の透孔４と吐出口２２とを連通させた状態で、注入内管２０内の流路を通して膨出用流体４０、好適には固結性材料たとえばセメントもしくはセメントベントナイトなどを圧送し、隣接するパッカー６，６のそれぞれの内部に送り込んでこれらのパッカー６，６を膨出させて挿入孔３１壁面に密着させる。
　【００２４】
　この膨出用流体４０の送り込みに際しては、前述のように、注入内管２０を用いてその内部流路を通して吐出口２２から吐出させるほか、他の適宜の手段を用いることができる。いすれにしても、膨出用流体４０は透孔４を通り、その送給圧によりスリーブ５が変形し、たとえばそのスリーブ５両端部を第１管１の外面と離間させながらパッカー６内に送り込まれる。パッカー６が十分に膨出した時点で、膨出用流体４０の送り込みを停止する。すると、スリーブ５は復元して、透孔４を封止する。このパッカー６の膨出は、少なくとも隣接パッカー６，６において行えばよいが、必要ならば対象のパッカーの全てを順次膨出させておいてもよい。
　【００２５】
　かかる段取りが終了したならば、あるいは注入内管２０を膨出用流体４０の送り込みに用いるのであればそのまま、注入外管１０内に注入内管２０を挿入し、パッカー６，６を作用させた状態で、注入内管２０に膨出用流体４０に代えて薬液を圧送して吐出口２２からから吐出させ、注入口７，７…を通して、可撓性スリーブ８を変形させつつもしくは被膜を破断させて、薬液を周辺地盤に向かって浸透注入させる。
　【００２６】
　薬液の注入に際しては、好適には注入内管２０を外管１０の最深部まで挿入し、隣接パッカーをまたは前述のように全てのパッカーを膨出させた後に、注入内管２０を対応する注入口７，７…形成部位に対応する１スナップごと引き上げて順次注入することが望ましい。逆に、上部から最深部に向かうステップダウン方式や適宜の選択位置順で上下させる方式を採用できる。
　【００２７】
　この場合、従来のように予めセメントベントナイト充填材を充填し、薬液の圧送圧によりそのセメントベントナイト充填材を割裂させながら、地盤内に薬液を注入する方法とは異なり、図５に示すように、隣接パッカー６，６と挿入孔３１壁面と注入外管１０外面とで囲まれる領域は充填材が存在しない空間であるから、注入口７，７…を通して注入された薬液Ｇは、隣接パッカー６，６間において、比較的広い空間に満たされた状態で、地盤３０内に注入される。
　【００２８】
　したがって、その空間に面する挿入孔３１の全体から地盤３０内に浸透するので、仮に高い注入速度であっても割裂を生じることなく浸透することが実験の結果から判明した。その結果、一つの注入ゾーンから大量の薬液を注入することが可能となり、地盤内に浸透した薬液は遠くまで浸透注入されることが判明した。実験の結果では、注入径として約５ｍを得ることができた。
　【００２９】
　薬液として、水ガラス系の薬液、特にシリカゾル系薬液を用いることが浸透注入の点で好ましい。土中のゲルタイムとしては１〜１０時間程度が望ましい。注入速度（地盤からみれば浸透許容速度）としては、４０リットル／分程度まで注入できる。
　【００３０】
　パッカーの膨出用流体としては、セメントベントナイトのほか、水や空気を用いることもできるが、セメントベントナイトであると、これがやがて硬化し、強固にパッカー６を挿入孔３１の孔壁面に密着させることができる点で好ましい。パッカー６，６間の寸法としては、１０ｃｍ〜２ｍ、特に好ましくは２５〜５０ｃｍ程度とすることができる。
　【００３１】
　図７に示すように、パッカー６とパッカー６，６間寸法の合計長は、目標の改良体Ｚの直径（たとえば５〜６ｍ程度）にほぼ一致させるのが好ましい。
　【００３２】
　＜第２の施工例＞
　本発明は、臨海地区のほぼ均一の砂地盤において液状化対策や地盤強化のための工法として特に有効であるが、その地盤が、たとえば図８に示すように、砂礫層などを含んでいる場合には、透水係数がより大きい当該砂礫層を通して薬液が逸走する可能性がある。そこで、主パッカー６長の中間または中央を挟んで、分割パッカー６Ａ，６Ａに分割し、その間に副注入口７Ａを形成し、この副注入口７Ａを砂礫層に位置させ、分割パッカー６Ａ，６Ａを膨出した後に、副注入口７Ａからセメントベントナイトや数秒〜数分のゲルタイムを示す瞬結材などを注入し、砂礫層に荒詰めし、続いて、主注入口７から薬液を注入すると、薬液に逸走を生じることなく、均一な改良体を造成できる。
　【００３３】
　＜第３の施工例＞
　改良体は、図６に示すように、軸方向に連続的にほか、図９に示すように、不連続的に造成するものでもよい。この場合、同図のように、隣接パッカー６，６間を飛ばして次の隣接パッカー６，６間において薬液を注入するとき、飛ばそうとする隣接パッカー６，６間に、予めセメントベントナイトなどのシールグラウト材Ｘを注入して孔壁との間に充填しておくのが望ましい。これにより、次の隣接パッカー６，６間において注入する薬液が、パッカー６と孔壁を通って、飛ばした隣接パッカー６，６間に回り込むことを防止できる。
　【００３４】
　（本発明の注入原理）
　前述の利点をもたらす本発明の注入原理を改めて説明すると、図１０（Ａ）に示すように、従来の二重管ダブルパッカー注入工法は、予め孔壁との間にセメントベントナイト充填材Ｓを充填し、薬液の圧送圧によりそのセメントベントナイト充填材Ｓを割裂させながら、地盤内に薬液Ｇを注入する方法ものである。したがって、充填材Ｓの割裂部位はごく少数であり、その割裂部位からのみ薬液Ｇが注入されるため、地盤に対する浸透面積は割裂部位に面する面積の合計であり、浸透面積はきわめて小さい。
　【００３５】
　これに対して、本発明では、図１０（Ｂ）に示すように、充填材Ｓを充填していない空間全体から薬液Ｇを注入するものであるために、薬液Ｇがその広い空間に満たされつつ地盤３０内に注入される。したがって、その空間に面する挿入孔３１の全体を浸透対象面積として浸透注入されるので、一つの注入ゾーンから大量の薬液を注入することが可能となり、地盤内に浸透した薬液は遠くまで浸透注入される。
　【００３６】
　実際に、従来の二重管ダブルパッカー注入工法と本発明の注入工法とを、吐出量と注入圧力との関係を比較すると、表１及び図１１の結果が得られた。この結果からも、上記の本発明の注入原理が確認できた。
　【００３７】
　【表１】
　【００３８】
　【発明の効果】
　以上のとおり、本発明によれば、浸透注入による同心円筒状の改良体を造成することができるとともに、たとえば直径で約５ｍ程度の大形の改良体を造成できるなどの利点がもたらされる。
【図面の簡単な説明】
　【図１】
注入装置例の縦断面図である。
　【図２】
本発明方法の第１段階の説明図である。
　【図３】
本発明方法の第２段階の説明図である。
　【図４】
本発明方法の第３段階の説明図である。
　【図５】
注入部分及び注入状態の要部説明図である。
　【図６】
改良体の造成終了段階の説明図である。
　【図７】
パッカー長と改良体の直径との関係の説明図である。
　【図８】
第２の施工例の説明図である。
　【図９】
第３の施工例の説明図である。
　【図１０】
従来例との対比の下で本発明の注入原理の説明図である。
　【図１１】
従来の二重管ダブルパッカー注入工法と本発明の注入工法とを、吐出量と注入圧力との関係での比較結果のグラフである。
　【符号の説明】
１…第１管、２…第２管、３…第３管、４…透孔、５…スリーブ、６…パッカー７…注入口、８…皮膜、１０…外管、２０…注入内管、２１…内管主体、２２…吐出口、２３、２４…パッカー部材、３０…対象地盤、３１…挿入孔、４０…膨張用流体、５０…ケーシング、Ｇ…薬液、Ｚ…改良体。